(57)【特許請求の範囲】
【請求項１】
磁気テープを駆動するテープ駆動手段と、
前記磁気テープ駆動手段により駆動された前記磁気テープより再生データを通常再生時よりも高速な第２の転送速度で再生する再生手段と、
前記再生手段より再生された前記再生データを書き込み、連続して読み出す第２のメモリと、
前記第２のメモリより読み出されたデータに他の信号を混合するなどの編集を施して得られた編集データを連続して書き込み、読み出す第１のメモリと、
前記磁気テープ駆動手段により駆動された前記磁気テープへ前記第１のメモリに残留しているデータ量が所定量以下になるまで通常記録時よりも高速な第１の転送速度で記録する記録手段と、
前記テープ駆動手段、前記再生手段、前記第２のメモリ、前記第１のメモリ及び前記記録手段の動作を制御する制御手段とを備え、
前記制御手段は、前記第２のメモリにおける前記再生データの書き込み量が所定量に達するまで前記第２の転送速度で前記磁気テープの再生を行った後、所望の位置まで前記磁気テープを巻き戻し、前記第１のメモリに残留しているデータ量が所定量以下になるまで前記第１の転送速度で前記磁気テープに記録を行った後、引き続き前記再生が終了した位置まで前記磁気テープを空走させ、さらに前記第２の転送速度で前記再生を行った後、前記巻き戻し、前記第１の転送速度での記録、前記空走を順次繰り返すよう各手段の全部、または、一部を制御することを特徴とする情報編集装置。
【請求項２】
第２のメモリの記憶データ量は、第１のメモリの記憶データ量より大きいことを特徴とする請求項１記載の情報編集装置。
【請求項３】
第１のメモリの読み出し速度を通常記録時のＮ１（Ｎ１＞１）倍速、第２のメモリの書き込み速度を通常再生時のＮ２（Ｎ２＞１）倍速とするとき、１／Ｎ１＋１／Ｎ２＜１とすることを特徴とする請求項１記載の情報編集装置。
【請求項４】
第１のメモリおよび／または第２のメモリは磁気ディスクであることを特徴とする請求項１記載の情報編集装置。
【請求項５】
第１のメモリと第２のメモリは編集データを書き込み、読み出すと共に、再生データを書き込み、読み出す一つの記憶装置よりなることを特徴とする請求項１記載の情報編集装置。
【請求項６】
記憶装置はリングメモリであることを特徴とする請求項５記載の情報編集装置。
【請求項７】
記憶装置は磁気ディスクであることを特徴とする請求項５記載の情報編集装置。
【発明の詳細な説明】
【０００１】
【発明の属する技術分野】
本発明は、デジタルデータを磁気テープに記録し磁気テープから再生する情報編集装置、特にデジタル化した映像信号ないし音声信号の記録、編集に関するものである。
【０００２】
【従来の技術】
放送局用デジタルビデオテープレコーダ（以下、放送用Ｄ−ＶＴＲという）では、映像信号と音声信号とが記録された磁気テープとを用いて、たとえば既に記録された音声信号と別の音声信号とを混合して再び元の場所に記録したり、再生映像を見ながらそれに合わせて音声を後から記録するプリリード編集機能を持たせたものがある。
【０００３】
以下に、このような編集機能を備えた従来の放送用Ｄ−ＶＴＲについて、図面を参照しながら説明する。図１０は従来の放送用Ｄ−ＶＴＲの回転シリンダ上のヘッド配置を示す概略図である。図１０は回転シリンダ１を上面から見た図である。図１０において、回転シリンダ１は反時計回りに回転する。回転シリンダ１には、記録ヘッド３，４、電気−機械変換素子７，８に搭載された先行再生用または同時再生用ヘッド５，６が搭載されている。また回転シリンダ１には、およそ半周（１８０度）の区間に渡って磁気テープ２が斜めに巻つけられて走行する。
【０００４】
図１１は、磁気テープ２上の記録トラックパターンとヘッドの位置関係を示す図である。図１１において、磁気テープ２には既に映像信号と音声信号とが記録されており、斜めにトラック９ａ〜９ｉなどが形成されている。ここで磁気テープ２は図面に向かって右から左に常に一定の速度で再生する。このため９ａ，９ｂ，９ｃ，・・・の順に信号が記録されている。また先行再生を行う場合は、電気−機械変換素子７を先行再生位置に駆動させ、先行再生ヘッド５は、記録ヘッド３に対して４トラックだけ先行した（時間的に先の信号が記録された）トラックを再生する。即ち記録ヘッド３がトラック９ｂ上にあるとき、先行再生ヘッド５は４トラック先行したトラック９ｆ上にある。また図示していないが、同様に記録ヘッド４がテープ上に位置するときには、電気−機械変換素子８を先行再生位置に駆動させ先行再生ヘッド６は記録ヘッド４に対して４トラックだけ先行したトラックを再生する。
【０００５】
次に、この従来の放送用Ｄ−ＶＴＲの構成と、既に記録された音声信号と別の音声信号とを混合して再び元の場所に記録する場合の動作について説明する。図１２は、従来の放送用Ｄ−ＶＴＲで既に記録された音声信号を編集する場合の構成を示している。図１２において、電気−機械変換素子７ないし８は、素子駆動回路１４により搭載している先行再生ヘッド５ないし６を記録ヘッド３ないし４よりも４トラック先行した位置に駆動し、磁気テープ２をテープ駆動回路１５、キャプスタンモータ１７により駆動させる。先行再生ヘッド５ないし６で再生された信号は、ヘッドスイッチ１２を経て再生処理回路１３に供給される。ヘッドスイッチ１２は回転シリンダ１の回転に同期した制御信号（図示せず）で制御され、磁気テープ上に位置する先行再生ヘッドを選択する。再生処理回路１３はヘッドスイッチ１２で選択された再生信号２２に復調、誤り訂正処理やデシャッフリング処理をし、元のデジタル化された映像信号及び音声信号の形態に戻された信号１８を出力する。
【０００６】
信号１８は混合回路１６に入力される。また、混合回路１６には記録された音声信号と混合する別の音声信号１９も入力される。混合回路１６では、再生された音声信号と音声信号１９とを混合して新たな音声信号を得て、これに再生された映像信号とを組み合わせた新たなデジタル記録信号として信号２０を出力する。
【０００７】
こうして得られた信号２０は、記録処理回路１１に入力される。記録処理回路１１では信号２０に対してシャッフリング処理や誤り訂正符号化、変調などを施し、信号２１を出力する。信号２１は、ヘッドスイッチ１０を経て記録ヘッド３ないし４に供給されて磁気テープ上のトラックの全部または一部に上書き記録される。なおヘッドスイッチ１０は回転シリンダ１の回転に同期した制御信号（図示せず）で制御され、テープ上に位置する記録ヘッドを選択する。
【０００８】
図１３は信号２２と信号２１の時間的な関係を示すタイムチャートである。図１３（ａ）に示すのは信号２２であって、Ｇ，Ｈ，Ｉ、などは夫々図１３におけるトラック７ｇ，７ｈ，７ｉから再生された信号である。ここで信号２２は、再生処理回路１３、混合回路１６、記録処理回路１１を経て信号２１に至るまでに、その過程で要する処理時間のため、磁気テープ２がおよそ４トラック走行する時間だけ遅延される。例えば、トラック７ｇから先行再生ヘッド５で再生された信号２２のＧの部分は、再生処理回路１３を経て混合回路１６において音声信号１９と混合され、更に記録処理回路１１を経て信号２１のＧ１となる。このときの信号２１の様子を図１３（ｂ）に示す。このように、信号２１は信号２２に対しておよそ４トラック分だけ遅延されている。
【０００９】
ここで、先に述べたように、先行再生ヘッド５、６は記録ヘッド３、４に対して夫々４トラックだけ先行した（時間的に先の信号が記録された）トラックを再生するよう構成してある。これによって、信号２１のＧ１が記録ヘッドに供給されるとき記録ヘッドは元の信号２２のＧが記録されていたトラック７ｇに位置しており、磁気テープ上の元の位置に記録することができる。
【００１０】
以上のように、従来の放送用Ｄ−ＶＴＲでは、記録ヘッドよりも時間的に先行したトラックを再生できるように電気−機械変換素子を先行再生位置に駆動させることで、再生から記録までに要する遅延時間を吸収し、既に記録された音声信号と別の音声信号とを混合して再び元の場所に記録する編集機能が実現されている。
【００１１】
【発明が解決しようとする課題】
上記のごとく、従来の放送用Ｄ−ＶＴＲでは、既に記録された音声信号と別の音声信号とを混合して再び元の場所に記録する編集機能を実現するために、電気−機械変換素子によりヘッドを先行位置に移動させる機構を設けるか先行再生ヘッドを設ける必要があった。しかしながら、機器の小型化、軽量化のために回転シリンダを小型にした場合には、電気−機械変換素子を搭載することや専用の先行ヘッドを設けることが困難になるという問題点がある。また再生したデータを加工して再び記録するまでの処理に要する時間が大きい場合には、先行再生ヘッドで再生するトラックを記録ヘッドに対して大幅に先行させる必要があるが、そのような位置に先行再生ヘッドを設けることが機構的にできない場合があるという問題点もある。
【００１２】
そこで本発明の目的は、先行再生ヘッドを設けることなく、既に記録された信号を加工して再び元の場所に記録したり、映像にあわせて音声を記録するといったプリリード編集機能を備えた情報編集装置を提供することである。
【００１３】
【課題を解決するための手段】
本発明の情報編集装置は、磁気テープより再生データを高速再生した後、再生した区間だけ磁気テープを巻き戻し、再生した区間へ所定量の編集データを高速記録し、再生した区間において高速記録されない区間は磁気テープを空走させる処理を順次繰り返す構成を有している。
【００１４】
本発明は上記した構成によって、先行再生ヘッドを設けることなく、既に記録された信号を加工して再び元の場所に記録したり、映像にあわせて音声を記録するといったプリリード編集機能を備えた情報編集装置を提供することができる。
【００１５】
【発明の実施の形態】
本発明の第１の発明は、磁気テープを駆動するテープ駆動手段と、前記磁気テープ駆動手段により駆動された前記磁気テープより再生データを通常再生時よりも高速な第２の転送速度で再生する再生手段と、前記再生手段より再生された前記再生データを書き込み、連続して読み出す第２のメモリと、前記第２のメモリより読み出されたデータに他の信号を混合するなどの編集を施して得られた編集データを連続して書き込み、読み出す第１のメモリと、前記磁気テープ駆動手段により駆動された前記磁気テープへ前記第１のメモリに残留しているデータ量が所定量以下になるまで通常記録時よりも高速な第１の転送速度で記録する記録手段と、前記テープ駆動手段、前記再生手段、前記第２のメモリ、前記第１のメモリ及び前記記録手段の動作を制御する制御手段とを備え、前記制御手段は、前記第２のメモリにおける前記再生データの書き込み量が所定量に達するまで前記第２の転送速度で前記磁気テープの再生を行った後、所望の位置まで前記磁気テープを巻き戻し、前記第１のメモリに残留しているデータ量が所定量以下になるまで前記第１の転送速度で前記磁気テープに記録を行った後、引き続き前記再生が終了した位置まで前記磁気テープを空走させ、さらに前記第２の転送速度で前記再生を行った後、前記巻き戻し、前記第１の転送速度での記録、前記空走を順次繰り返すよう各手段の全部、または、一部を制御することを特徴とする情報編集装置であり、この構成によって、本発明の情報編集装置は、先行再生ヘッドを設けることなく、既に記録された信号を加工して再び元の場所に記録したり、映像にあわせて音声を記録するといったプリリード編集機能を実現できる。
【００１６】
本発明の第２の発明は、第１の発明において、第２のメモリの記憶データ量は、第１のメモリの記憶データ量に比べて大きいことを特徴とする情報編集装置であり、この構成によって、本発明の情報編集装置は、高速再生データ量を高速記録データ量より余分にもつことによって、編集ＯＵＴ以降のアフタロール分の再生データを常に取得することで、高速記録の後、高速再生によるアフタロール分のデータを取得する必要がなくなり、処理を簡略化することができる。
【００１７】
本発明の第３の発明は、第１の発明において、第１のメモリの読み出し速度を通常記録時のＮ１（Ｎ１＞１）倍速、第２のメモリの書き込み速度を通常再生時のＮ２（Ｎ２＞１）倍速とするとき、１／Ｎ１＋１／Ｎ２＜１とすることを特徴とする磁気記録装置であり、この構成によって、本発明の情報編集装置は、連続してプリリード編集作業を続けることが可能になる。
【００１８】
本発明の第４の発明は、第１の発明において、第１のメモリと第２のメモリは編集データを書き込み、読出すと共に、再生データを書き込み、読出す一つの記憶装置よりなることを特徴とする情報編集装置であり、この構成によって、本発明の情報編集装置は、第１のメモリと第２のメモリのメモリを共有化できる。
【００１９】
（実施の形態１）
以下、本発明の実施の形態について、図面を参照して説明する。本実施の形態は、従来例と同様に磁気テープ上に既に記録された信号と別の信号とを混合して再び元の場所に記録する機能を備え、先行再生ヘッドを設けることなくプリリード編集機能を実現する放送用デジタルＶＴＲについて説明する。
【００２０】
図１は、本実施の形態の放送用Ｄ−ＶＴＲで既に記録された音声信号を編集する情報編集装置の構成を示すブロック図である。図１において、先の従来例と同一機能のブロック、信号には同番号を付している。
【００２１】
図１において、２は磁気テープ、３，４は信号を磁気テープ２に第２のデータレートで記録する記録ヘッド、５，６は磁気テープ２に記録されているデータを第２のデータレートで再生する再生ヘッド、１０、１２は回転シリンダの回転に同期した制御信号（図示せず）により制御され、それぞれ磁気テープ２に接触している記録ヘッド３，４、再生ヘッド５，６の一方を選択するヘッドスイッチ、１１は入力されたデータ信号１０９にシャッフリング処理や誤り訂正符号化、変調などを施し、第２のデータレートで出力データ信号２１をヘッドスイッチ１０へ出力する記録処理回路、１３は入力された信号２２に復調、誤り訂正、デシャフリング処理をし、データ信号１０８として出力する再生処理回路、１５はキャプスタンモータ１７を駆動するテープ駆動回路、１６は入力された再生信号１８と信号１１０とを混合し記録信号２０として出力する混合回路、１７は磁気テープ２を駆動するキャプスタンモータ、１００は混合回路１６より出力された記録信号２０を第１のデータレートで連続的に記憶し、記憶されたデータを記録した順序で第１のデータレートより速い第２のデータレートで間欠的に読出し、データ信号１０９として記録処理回路１１に出力する第１のメモリである記録用メモリ、１０１は再生処理回路１３より間欠的に再生されたデータ１０８を第２のデータレートで順次記憶すると共に、記憶した順序で第１のデータレートで連続的に読出し、再生信号１８として混合回路１６に出力する第２のメモリである再生用メモリ、１０２は記録用メモリ１００、再生用メモリ１０１の残留データ量および再生処理回路１３より出力されるデータ信号１０８に基づいて、記録用メモリ１００、再生用メモリ１０１と記録処理回路１１、再生処理回路１３、テープ駆動回路１５の動作を制御する制御回路である。
【００２２】
ここで、記録処理回路１１、ヘッドスイッチ１０、ヘッド３，４は第１のメモリである記録用メモリ１００から読出されたデータを磁気テープ２に間欠的に記録する記録手段を構成している。また再生処理回路１３、ヘッドスイッチ１２、ヘッド５，６は磁気テープ２から第２のデータレートでデータを間欠的に再生する再生手段を構成している。
【００２３】
図２は回転シリンダ上のヘッド配置図、図３は磁気テープ２上の記録トラックパターンとヘッドの位置関係を示す図である。図２において、回転シリンダ１は反時計回りに回転する。回転シリンダ１には、記録ヘッド３、４及び再生ヘッド５，６が搭載されている。またこの回転シリンダ１には、およそ半周（１８０度）の区間に渡って磁気テープ２が斜めに巻きつけられて走行する。磁気テープ２には既に映像信号と音声信号とが記録されており、図３に示すように斜めにトラック９ａ，９ｂ，９ｃなどが形成されている。ここで磁気テープ２は図面に向かって右から左に常に一定の速度で再生する。このため９ａ，９ｂ，９ｃ，・・・の順に信号が記録されている。再生ヘッド５は、記録ヘッド３に対してヘッド割付角度分遅延した（時間的に後の信号が記録された）位置を再生する。即ち記録ヘッド３がトラック９ａ上にあるとき、再生ヘッド５はヘッド割付角度分遅延したトラック９ａ上にある。また図示していないが、同様に記録ヘッド４がテープ上に位置するときには、再生ヘッド６は記録ヘッド４に対して割付角度分遅延した位置を再生する。この実施の形態では回転シリンダ１の互いに対称な位置に記録ヘッド３，４及び再生ヘッド５，６が配置されており、これらが交互にヘッドスイッチ１０、１２で切換えられる。
【００２４】
以下、本実施の形態による情報編集装置の動作について説明する。
【００２５】
まず記録動作について説明する。デジタル化された映像及び音声信号である信号２０は、第１のデータレート（例えば１５Ｍｂｐｓ）で記録用メモリ１００に記録され第１のデータレートよりも高い第２のデータレート（例えば６０Ｍｂｐｓ）で記憶した順に間欠的に読み出され信号１０９として出力される。従来例と同様に信号１０９は記録処理回路１１においてシャッフリング処理や誤り訂正符号化、変調などが施され、信号２１として出力される。信号２１は、ヘッドスイッチ１０を経て記録ヘッド３ないし４で６０Ｍｂｐｓのデータレートで間欠的に磁気テープに記録される。即ち、１５Ｍｂｐｓの連続信号である信号２０を記録用メモリ１００を介して１５Ｍｂｐｓに対して４倍（Ｎ１＝４＞１）高い６０Ｍｂｐｓのデータレートの信号２１に変換して間欠的に磁気テープ２に記録する。
【００２６】
次に再生動作について説明する。再生時には６０Ｍｂｐｓのデータレートで再生ヘッド５ないし６により磁気テープ２から間欠的に再生し、ヘッドスイッチ１２を経て間欠的な信号２２を得る。この信号２２を従来例と同様に再生処理回路１３で復調、誤り訂正処理やデシャッフリング処理を施し、６０Ｍｂｐｓのデータレートで順次再生用メモリ１０１に記憶し、記憶した順序に１５Ｍｂｐｓのデータレートで連続的に読出して信号１８を得る。即ち、１５Ｍｂｐｓに対して４倍（Ｎ２＝４＞１）高い６０Ｍｂｐｓのデータレートで磁気テープから間欠的に再生し、再生用メモリ１０１を介して１５Ｍｂｐｓの連続信号である信号１８を得る。また、Ｎ１＝Ｎ２＝４であることから、１／Ｎ１＋１／Ｎ２＝１／２＜１となる。
【００２７】
ところで、磁気テープ上に既に記録された信号と別の信号とを混合して再び元の場所に記録する場合には、上記した間欠的な記録動作と間欠的な再生動作を交互に繰り返すと共に、記録動作と再生動作の間に磁気テープを高速走行させる。このとき、制御回路１０２が各部の動作を制御する。即ち記録用メモリ１００，記録処理回路１１は、制御回路１０２からの制御信号１０３及び１０４により、夫々間欠的な読出し動作と間欠的な記録処理動作を行う。また再生処理回路１３、再生用メモリ１０１は、制御回路１０２からの制御信号１０５及び１０６により、夫々間欠的な復調動作と間欠的な書き込み動作を行う。更に磁気テープ２の走行を制御するテープ駆動回路１５は、制御回路１０２からの制御信号１０７によりコントロールされる。なお、制御回路１０２には磁気テープ２から再生された信号１０８と、再生用メモリ１０１、記録用メモリ１００から制御線が入力されており、これによりテープの走行位置と各メモリの残量を把握して各制御信号に反映させる。
【００２８】
以下、制御回路１０２の制御による各ブロックのより具体的な動作について図４、図５を参照して説明する。図４は、磁気テープ２上の記録状態を示す図である。図４において、１１０〜１１６は、いずれも磁気テープ２上に形成されたトラック２０００本をひとまとめにしたデータブロックであって、夫々ブロックＡ、ブロックＢ、ブロックＣ、ブロックＤ、ブロックＥ、ブロックＦ及びブロックＧと呼ぶ。なお、１つのブロックには、１５Ｍｂｐｓの映像及び音声データが約３０秒間分記録されている。また、図４の下方に記載されたＢ〜Ｇは、夫々ブロックＢ〜ブロックＧのテープ長手方向の再生開始位置を示す指標である。
【００２９】
いま、図４において、ブロックＣからブロックＥにかけて既に記録された映像及び音声信号に、別の音声信号を混合して再び元の場所に記録するものとする。この場合に動作について具体的に説明する。
【００３０】
図５は、このときの動作を説明するタイミングチャートである。図５において、（ａ）は各時刻におけるテープの長手方向の位置を、図４の下方に記載された再生開始位置を示す指標で示している。図５の（ｂ）は磁気テープ２の走行状態を示しており、「４倍速再生」は磁気テープ２から編集データを４倍速で再生させる状態、「ＲＥＷ」は平均６．５倍程度の速度でテープを巻き戻す高速巻き戻し状態、「４倍速記録」は磁気テープ２に編集データを４倍速で記録させる状態である。図５の（ｃ），（ｄ）は夫々再生用メモリ１０１，記録用メモリ１００に記憶されたのち、まだ読出されていない残留データ量を示すグラフである。更に図５の（ｅ），（ｆ）は夫々再生用メモリ１０１に書き込む信号１０８、読出す信号１８の内容を表しており、図に記載されたｃ，ｄ，ｅは夫々図４のブロックＣ，ブロックＤ、ブロックＥから再生された信号であることを示している。また、図５の（ｇ），（ｈ）は夫々記録用メモリ１００に書き込む信号２０、読出す信号１０９の内容を表しており、ｃ１，ｄ１，ｅ１は夫々図４のブロックＣ、ブロックＤ、ブロックＥから再生された信号ｃ，ｄ，ｅに別の信号を混合して得られた信号で、再びブロックＣ、ブロックＤ、ブロックＥの位置に記録すべき信号を表している。図５の（ｉ）は動作を開始する時点を０とした場合の時刻を示している。
【００３１】
まず、時刻０においてテープ位置は図５の（ａ）に示すようにテープ位置Ｃにあるものとする。制御回路１０２は、テープ駆動回路１５に「４倍速再生」を指示する制御信号１０７、再生処理回路１３に再生処理を指示する制御信号１０６を送る。テープ位置Ｃよりテープ位置Ｄに到達するまでテープは同図（ｂ）に示すように「４倍速再生」状態で走行する。テープ位置Ｃからテープ位置ＤまでにはブロックＣ及びブロックＤが記録されている。ブロックＣ及びブロックＤには前述のように１５Ｍｂｐｓの映像及び音声データが記録されており、「４倍速再生」状態で走行するためにテープ位置Ｄに到達する時刻は図５の（ｉ）に示すように時刻Ｔ２である。この間、装置は再生状態となる。このとき図５の（ｅ）に示すように再生処理回路１３により復調された信号１０８は６０Ｍｂｐｓで再生されたブロックＣ及びブロックＤのデータｃ及びｄとなる。再生用メモリ１０１はこの間に信号１０８を順次記憶する。その結果、図５の（ｃ）に示されるように再生用メモリ１０１に記憶されて読出されていない残留データ量が増加する。なお、この間も再生用メモリ１０１からは１５Ｍｂｐｓで記憶されたデータの読出しが記憶された順序で行われ、図５の（ｆ）に示すように信号１８にはブロックＣ及びブロックＤのデータ内容ｃ及びｄが１５Ｍｂｐｓで出力される。
【００３２】
制御回路１０２は、再生用メモリ１０１の残留データが所定量に達したことを検出すると、テープ駆動回路１５、再生処理回路１３、再生用メモリ１０１へそれぞれ制御信号１０７，１０６，１０５を送り、テープを止めると共に、再生処理、メモリ書き込み動作を中断させる。
【００３３】
信号１８は、混合回路１６にて別の音声信号１１０が混合されて信号２０となる。この例では図５の（ｉ）に示すように、この間の処理に時間Ｔ１を要するものとする。このため、ブロックＣの再生データｃに音声信号１１０を混合して得られたブロックＣの信号ｃ１は、図５（ｇ）に示すように時刻Ｔ１から混合回路１６より出力される。信号２０は１５Ｍｂｐｓで常に記録用メモリ１００に順次記憶される。このため、記録用メモリ１００に記憶され読出されていない残留データ量は図５の（ｄ）に示すように時刻Ｔ１から「４倍速記録」が始まる時刻Ｔ３まで順次増加していく。
【００３４】
制御回路１０２は、時刻Ｔ２において、再生用メモリ１０１の残留データが所定量に達したことを検出すると、テープ駆動回路１５へ巻き戻し指令を指示する制御信号１０７を送り、テープ走行は「ＲＥＷ」状態となる。ここで、図５の（ｂ）において、時刻Ｔ２と「ＲＥＷ」状態の開始時刻は一致してないが、これは制御回路１０２が再生用メモリ１０１の残留データが所定量に達したことを検出して、巻き戻し命令を指示し、巻き戻しが始まるまで４倍速再生を行っているためである。制御回路１０２は再生処理回路１３の出力信号１０８からテープ位置Ｃまで戻ったことを検出すると制御信号１０７によりテープ駆動回路１５に巻き戻しを停止させる。この制御によって、時刻Ｔ２から時刻Ｔ３間は、磁気テープへの記録も再生も行われないが、再生用メモリ１０１からの１５Ｍｂｐｓでのデータの読出しは連続的におこなわれ、信号１８の再生データは途切れることはない。また、記録用メモリ１００への１５Ｍｂｐｓでの信号２０の記憶も途切れることなく行われる。再生用メモリ１０１からは連続的に１５Ｍｂｐｓでデータの読出しが行われ、信号１８には図５の（ｆ）に示すようにブロックＣのデータｃが連続的に現れ、再生用メモリ１０１の残留データ量は同図（ｃ）に示すように減少していく。また、信号２０には混合回路１６において信号１１０を混合して得られたデータｃ１が図５の（ｇ）に示すように連続的に現れ、記録用メモリ１００に１５Ｍｂｐｓで連続的に記憶され記録用メモリ１００の残留データ量は同図（ｄ）に示すように増加していく。
【００３５】
次に、制御回路１０２は、「ＲＥＷ」状態から「停止」状態の後、ただちに時刻Ｔ３においてテープ駆動回路１５、記録処理回路１１、記録用メモリ１００を制御信号１０７，１０４，１０３で制御し、テープ走行を図５の（ｂ）のように「４倍速記録」状態とし、時刻Ｔ４にテープ位置Ｄに到達して記録用メモリの残量が０になるまでこの状態で走行させる。この間、装置は磁気テープ２への記録状態となり、記録用メモリ１００から６０Ｍｂｐｓでデータｃ１の読出しが記憶したときの順序で行われ、図５の（ｈ）に示されるように、信号１０９としてブロックＣのデータｃが記録してあったテープ位置に新たに記録するブロックＣのデータｃ１が現れる。この信号１０９は、記録処理回路１１を経て、ブロックＣが記録してあった先頭から終端にかけて新たに記録される。なお、データｃ１は１５Ｍｂｐｓの４倍の６０Ｍｂｐｓで記録されるため、１５Ｍｂｐｓの映像及び音声データを含むブロックｃ１の記録が１／４の時間で終了する。また、記録用メモリ１００では６０Ｍｂｐｓでのデータの読出しが行われるため、記録用メモリ１００の残留データ量は図５の（ｄ）に示すごとく急速に減少する。
【００３６】
次に、制御回路１０２は、テープ駆動回路１５に前回の再生終了位置であるテープ位置Ｄからの「４倍速再生」を指示する制御信号１０７、再生処理回路１３に再生処理を指示する制御信号１０６を送る。時刻Ｔ４から時刻Ｔ５までは、図５の（ｂ）に示すように磁気テープ２は再び「４倍速再生」状態で走行し、時刻Ｔ５において同図（ａ）に示すようにテープ位置Ｅに到達する。この間、装置は再生状態となり、図５の（ｅ）に示すように再生処理回路１３よりブロックＤの信号ｄが６０Ｍｂｐｓの信号１０８として出力されると共に、再生用メモリ１０１に順次記憶され、再生用メモリ１０１の残留データ量は同図（ｃ）に示すように再び増加する。なお、この間も再生用メモリ１０１からの読出しは１５Ｍｂｐｓで連続的に行われ、信号１８としてブロックＤの信号ｄが途切れることなく出力される。また、この間、信号２０として、図５の（ｇ）に示すように時刻Ｔ４からブロックＤの信号に信号１１０を混合して得られたブロックＤのデータｄ１が１５Ｍｂｐｓで混合回路１６より連続して出力され、記録用メモリ１００に１５Ｍｂｐｓで順次記憶されていく。
【００３７】
次に、時刻Ｔ５において、制御回路１０２は再生用メモリ１０１の残留データが所定量に達したことを検出すると、テープ駆動回路１５へ巻き戻し指令を指示する制御信号１０７を送り、テープ走行は図５の（ｂ）に示すように「ＲＥＷ」状態となり高速で巻き戻され、テープ位置Ｄに戻って止まる。ここで、図５の（ｂ）において、時刻Ｔ５と「ＲＥＷ」状態の開始時刻は一致してないが、これは制御回路１０２が再生用メモリ１０１の残留データが所定量に達したことを検出して、時刻Ｔ５で巻き戻し命令を指示し、巻き戻しが始まるまで４倍速再生を行っているためである。この時刻Ｔ５から次にテープが起動するＴ６の間は磁気テープ２への記録も再生も行われない。しかし、この間も図５の（ｆ）に示すように、再生用メモリ１０１からの１５Ｍｂｐｓでのデータの読出しは連続的におこなわれ、信号１８の再生データは途切れることはない。また、図５の（ｄ）に示すように、記録用メモリ１００への１５Ｍｂｐｓでの信号２０の記憶も途切れることなく行われる。
【００３８】
制御回路１０２は、「ＲＥＷ」状態から「停止」状態の後、ただちに時刻Ｔ６においてテープ駆動回路１５、記録処理回路１１、記録用メモリ１００を制御信号１０７，１０４，１０３で制御し、図５の（ｂ）に示すようにテープ走行を「４倍速記録」状態とし、時刻Ｔ７にテープ位置Ｅに到達し記録用メモリの残量が０になるまでこの状態で走行させる。この間、装置は磁気テープ２への記録状態となり、記録用メモリ１００から６０Ｍｂｐｓでのデータの読出しがデータを記憶したときの順序で行われ、図５の（ｈ）に示されるように、ブロックＤが記録してあったテープ位置に新たに記録する信号１０９としてブロックＤのデータｄ１が現れる。この信号１０９は、記録処理回路１１を経て、ブロックＤが記録してあった先頭から終端にかけて新たに記録される。なお、１５Ｍｂｐｓの４倍の６０Ｍｂｐｓで記録されるため、１５Ｍｂｐｓの映像及び音声データを含むブロックＤのデータｄ１記録は１／４の時間で終了する。また、６０Ｍｂｐｓでのデータの読出しが行われるため、記録用メモリ１００の残留データ量は図５の（ｄ）に示すごとく急速に減少する。
【００３９】
ここまでの動作により、磁気テープ上に記録してあったブロックＣ及びブロックＤの信号ｃ及びｄは、別の音声信号を混合した信号ｃ１及びｄ１として再び元の場所に記録された。以降同様にして、時刻Ｔ１からＴ４の周期で再生、巻き戻し、記録の処理が繰り返される。なお、上記の動作を行うために、記録用メモリ１００，記録処理回路１１は、制御回路１０２からの制御信号１０３及び１０４により夫々間欠的な読出し動作と記録処理動作を行う。また、再生処理回路１３、再生用メモリ１０１は、制御回路１０２からの制御信号１０６及び１０５により夫々間欠的な再生処理動作と書き込み動作を行う。更に、テープ駆動回路１５は制御回路１０２からの制御信号１０７にしたがい磁気テープの走行を制御する。
【００４０】
次に、本発明の実施の形態１において、図５（ｂ）における「４倍速再生」状態から「ＲＥＷ」状態への移行の方法とＲＥＷの後の「停止」状態から「４倍速記録」状態への移行の方法について図６を参照してさらに具体的に説明する。
【００４１】
図６は本発明の実施の形態１におけるテープの動きとメモリ残量との関係を示すグラフである。図６において、Ｔａ期間は「４倍速再生」状態、Ｔｂ期間は「ＲＥＷ」状態及び「停止」状態、Ｔｃ期間は「４倍速記録」状態、Ｔｄ期間は「４倍速空走」状態を示し、Ｔｄ期間以降は「４倍速再生」状態で、移行は同じ動作が繰り返される。図６に示す再生用メモリ残量は図１の再生用メモリ１０１のメモリ残量を表し、記録用メモリ残量は同図の記録用メモリ１００のメモリ残量を表す。なお、再生用メモリ残量と記録用メモリ残量の初期の増加開始点は図５におけるＴ１時間分だけ差があるが、ここでは微少な時間として無視する。また、図６の通常再生仮想位置は再生用メモリから通常速度で読み出されたデータのテープ上の位置を表す。また、Ｔ２，Ｔ３，Ｔ３ａ，Ｔ３ｂ，Ｔ４，Ｔ４ａは動作を開始する時点を０とした場合の時刻を示している。
【００４２】
以下、再生用メモリが４Ｔａ時間分の容量があることを例にテープの動きと再生用メモリ残量の関係について説明する。「４倍速再生」状態において、図６の４倍速再生位置に示すように、再生用メモリ１０１には通常速度に対して４倍速で再生された再生データが書き込まれ、同図通常再生仮想位置に示すように再生用メモリ１０１からは通常速度で再生データが読み出される。またこのとき、記録用メモリ１００には図６の通常再生仮想位置に示すように通常速度で編集データが書き込まれる。再生用メモリ１０１の容量は再生開始からＴａ時間経った時刻Ｔ２で４Ｔａ時間分の再生データが書き込まれ一杯になる。この時点で、再生用メモリ１０１の書き込み可能なメモリ残量は、通常速度で再生データがＴａ時間分読み出されているので図６に示すように３Ｔａ時間分の残量となる。再生用メモリ１０１はメモリ容量が一杯になったことを制御信号１０５により制御回路１０２に知らせ、制御回路１０２は、制御信号１０５及び１０７により再生用メモリ１０１への再生データの書き込みを禁止し、テープ駆動回路１５へ「ＲＥＷ」状態への移行指令を出す。次に、制御回路１０２は、「ＲＥＷ」状態で再生信号１０８からＴＣの検出を行うなどにより、４Ｔａ時間分テープを巻き戻した時点で制御信号１０７によりテープ駆動回路１５に「停止」指令を出す。その後すぐにテープ駆動回路１５へ「４倍速記録」指令を出し、「４倍速記録」状態へ移行する。
図６に示すように、「４倍速記録」を行う期間は「４倍速再生」を行う時間とは必ずしも一致しない。図６に示すように記録用メモリ１００への通常再生速度による編集データの書きこみが終了するのは時刻Ｔ４ａであり、「４倍速記録」が時刻Ｔ４ａに終了するためには時刻Ｔｃから「４倍速記録」を始めればよい。しかし、「４倍速記録」は巻き戻しが終了した後すぐ行われるため、時刻Ｔｃより前の時刻から始まる場合があり、この場合は、通常再生速度による編集データの書き込みが終了する前に、「４倍速記録」の読み出しが追いついてしまう。そのため、「４倍速記録」状態は記録用メモリ１００の残量が０になる時刻Ｔ３ｂで終了する。時刻０から時刻Ｔ３ｂまで記録用メモリ１００に通常速度で書きこまれた信号は時刻Ｔ３から時刻Ｔ３ｂまでの期間において、書きこみの４倍の速度で読み出して記録されることから、時刻Ｔ３から時刻Ｔ３ｂまでの期間をＴｃとし、「ＲＥＷ」状態の期間と「停止」状態の期間を合わせてＴｂとすると、（Ｔａ＋Ｔｂ＋Ｔｃ）：Ｔｃ＝４：１の関係にあり、Ｔｃ＝（Ｔａ＋Ｔｂ）／３で表すことができる。時刻Ｔ３ｂにおいて、記録用メモリ１００は残量が０になったことを制御信号１０３により制御回路１０２に知らせ、制御回路１０２は制御信号１０３及び１０４により記録用メモリ１００からの４倍速でのデータの読み出しを禁止する指令を出し、記録処理回路１１の記録動作を禁止する。ただし、「４倍速再生」で再生用メモリ１０１に書き込まれたデータの読み出しは終了していないため、テープ駆動回路１５によるテープの４倍速動作はそのまま継続させ、「４倍速再生」が終了した時点まで「４倍速空走」状態をＴｄ期間続ける。期間Ｔｄは、「４倍速再生」と「4倍速記録」を行う時間は同じであることから、Ｔｃ＋Ｔｄ＝Ｔａとなり、Ｔｄ＝（２Ｔａ−Ｔｂ）／３で表すことができる。この「４倍速空走」状態の期間は再生用メモリ残量の余裕に関係する。この場合、時刻Ｔ３ｂで「４倍速記録」が終了した後も、記録用メモリ１００には通常再生速度で信号２０が書きこまれており、時刻Ｔ３ｂから期間４Ｔｄ経過した時刻Ｔ４ａで書き込みが完了する。よって、４Ｔｄ−Ｔｄ＝３Ｔｄ、すなわち、２Ｔａ−Ｔｂ時間分だけ再生用メモリ１０１の残量に余裕があることを示している。この余裕は、通常速度で再生する再生データのメモリ残量であり、このＴｄ時間範囲内で、「ＲＥＷ」期間のばらつきと「４倍速記録」への移行タイミングのばらつきを吸収することができる。すなわち、「ＲＥＷ」状態の制御期間と「４倍速記録」状態への移行タイミングの設計に自由度がでることを意味する。なお、時刻Ｔ３ｂ以降に記録用メモリ１００へ書き込まれた編集データは次回の「４倍速記録」時に前回の記録終了位置から書き込まれる。
【００４３】
また、編集状態から連続してＯＵＴ点以降の映像または音声を確認するアフターロール機能において、再生用メモリ量を記録メモリ量よりアフターロール分だけ大きくすることによって、編集ＯＵＴ以降のアフターロール分の再生データを常に取得することで、プリロール編集におけるアフターロール分のための高速再生が必要なくなり処理を簡略化することができる。
【００４４】
以上に述べた動作の結果、ブロックＣからブロックＥに既に記録された映像及び音声信号に、別の音声信号を混合して再び元の場所に記録することができる。
【００４５】
このように、本実施の形態では、入力あるいは出力される映像及び音声のデータレートよりも高速なデータレートで磁気テープへの記録と磁気テープからの再生を間欠的に交互に行うことで、先行再生ヘッドを設けることなく、磁気テープ上に既に記録された信号と別の信号とを混合して再び元の場所に記録することができる。
【００４６】
なお、記録用メモリ１００及び再生用メモリ１０１の記憶容量は、半導体メモリで容易に構成できる。しかし、より高いデータレートの信号を扱う場合には必要な記憶容量が大きくなり、半導体メモリで構成すると高価になる。この場合には、片方もしくは両方のメモリを磁気ディスクなど他の記憶媒体を用いてもよい。これにより、安価に大容量のメモリが構成できる。
【００４７】
また、本実施の形態では、映像及び音声信号を所定の周期約３０秒毎に記録と再生を間欠的に行うものとしたが、これに限定するものではなく、より短い周期、あるいはより長い周期で行うようにしてもよい。
【００４８】
また、本実施の形態では映像及び音声信号を元のデータレートの４倍で間欠的に記録ないし再生する構成（Ｎ１＝Ｎ２＝４）としたが、これに限定するものではなく、元のデータレートに対して平均して実質２倍を越えるレートであればよく、記録と再生のレートも同じである必要はない。具体的には第１のメモリの読み出し速度をＮ１（Ｎ１＞１）、第２のメモリの書き込み速度をＮ２とするとき１／Ｎ１＋１／Ｎ２＜１であるように設定すれば、それぞれのメモリのメモリ量を選ぶことにより、Ｔ１からＴ４までの一巡の動作の間で、メモリの書き込み、読み出しの動作が破綻することがない。
【００４９】
また、第１のメモリ、第２のメモリは、それぞれ、記録過程、再生過程のどこかにいればよく、圧縮伸長処理を行うデジタルＶＴＲの場合では、第１のメモリ（記録用メモリ１００）は圧縮された編集データを入力し、第２のメモリ（再生用メモリ１０１）の出力を伸長処理するように構成することにより、メモリ量を大幅に削減することが可能である。
【００５０】
また、第１のメモリ、第２のメモリ、混合回路などはパーソナルコンピュータなどを用いてコンピュータ上のメモリ、ソフトウェア処理で構成しても構わない。
【００５１】
（実施の形態２）
次に、本発明の実施の形態２の情報編集装置について説明する。本実施の形態の情報編集装置は、記録側、再生側で１つの共通のリングメモリを使うことによって、約半分のメモリ量で同じプリリード編集機能が実現できるように構成したものである。本実施の形態における回転シリンダ上のヘッド配置は、先に図２に示した本実施の形態１のシリンダと全く同一である。
図７は、既に記録された音声信号を編集する本実施の形態の情報編集装置の構成を示すブロック図である。なお、図７において、従来例、実施の形態１の情報編集装置と同一機能のブロック、信号には同番号を付して詳細な説明を省略する。図７において、２０３はアドレスが輪のように繋がった記憶装置であるリングメモリである。
【００５２】
本実施の形態においては記録する信号はリングメモリ２０３に第１のデータレートで連続して書き込まれ、同じ順序で第１のデータレートより速い第２のデータレートで間欠的に読出し、信号１０９として記録処理回路１１に与えられる。記録処理回路１１に入力された信号は、シャッフリング処理や誤り訂正符号化、変調などを施された後、ヘッドスイッチ１０に与えられ、第２のデータレートで磁気テープに記録される。再生ヘッド５，６により第２のデータレートで再生された信号は、信号２２として再生処理回路１３に与えられる。再生処理回路１３はこの信号を復調、誤り訂正、デシャフリング処理をし、信号１０８としてリングメモリ２０３及び制御回路１０２に与る。リングメモリ２０３は間欠的に第２のデータレートで再生された信号１０８を記録すると共に、記録した順序で第１のデータレートで連続的に読出し、読み出した信号を混合回路１６に与える。制御回路１０２は制御信号２０５、１０４及び１０６により、リングメモリ２０３、再生処理回路１３、記録処理回路１１で上記した間欠的な再生動作と間欠的な記録動作を交互に繰り返すと共に、制御信号１０７によりテープ駆動回路１５を制御して再生動作と記録動作の間に磁気テープを高速巻き戻し走行させる。なお、制御回路１０２には磁気テープから再生された信号１０８とリングメモリの各書き込み読み出しのアドレス情報２０５が入力されており、これによりテープの走行位置、メモリ状態を把握して各制御信号のタイミングをコントロールする。ここで、記録処理回路１１、ヘッドスイッチ１０，ヘッド３，４はメモリから読出されたデータを磁気テープ２に間欠的に記録する記録手段を構成している。また再生処理回路１３、ヘッドスイッチ１２、ヘッド５，６，は磁気テープ２から第２のデータレートでデータを間欠的に再生する再生手段を構成している。
【００５３】
次に、より具体的な動作について図８を参照して説明する。いま、磁気テープ２上に実施の形態１の図４と同様に、各ブロックが配置され、ブロックＣからブロックＥにかけて既に記録された映像及び音声信号に、別の音声信号を混合して再び元の場所に記録するものとする。この場合の動作について具体的に説明する。
【００５４】
図８は、このときの動作を説明するタイミングチャートである。図８において、（ａ）は各時刻におけるテープの長手方向の位置を、図４の下方に記載された指標で示している。図８（ｂ）は磁気テープ２の走行状態を示しており、「４倍速再生」（Ｎ２＝４）は磁気テープ２からデータを４倍速で再生させる状態、「ＲＥＷ」は次の記録開始位置までテープを巻き戻して記録タイミングを待っている状態、「４倍速記録」（Ｎ１＝４）は磁気テープ２にデータを４倍速で記録させる状態である。同図（ｃ）は夫々リングメモリ上で記録時の書き込みアドレスＲ、読み出しアドレスＳ、再生時の書き込みアドレスＰ、読み出しアドレスＱの位置を示している。更に同図（ｅ）はリングメモリ２０３に書き込む信号１０８，同図（ｆ）はリングメモリ２０３から読出し、データレート変換された信号１８の内容を表しており、同図に記載されたｃ，ｄ，ｅは夫々図４のブロックＣ，ブロックＤ，ブロックＥから再生された信号であることを示している。また、同図（ｇ）はリングメモリ２０３に書き込む信号２０、同図（ｈ）はリングメモリ２０３から読出す信号１０９の内容を表しており、ｃ１，ｄ１は夫々図４のブロックＣ、ブロックＤから再生された信号に別の信号を混合して得られた信号で、再びブロックＣ、ブロックＤの位置に記録すべき信号を表している。同図（ｉ）は動作開始時点からの時刻を示している。
【００５５】
まず、時刻０においてテープ位置は図８の（ａ）に示すようにテープ位置Ｃにあるものとする。また、時刻０では、リングメモリ２０３上に記録時の書き込みアドレスＲ、読み出しアドレスＳ、再生時の書き込みアドレスＰ、読み出しアドレスＱは０にリセットされている。制御回路１０２により、テープ駆動回路１５に制御信号１０７、再生処理回路１３に制御信号１０６が送られ、テープ位置Ｃからテープ位置Ｄに到達するまでテープは図８の（ｂ）に示すように「４倍速再生」状態で走行する。テープ位置Ｃからテープ位置ＤまでにはブロックＣ及びブロックＤが記録されている。ブロックＣ及びブロックＤには前述のように１５Ｍｂｐｓの映像及び音声データが記録されており、「４倍速再生」状態で走行するためにテープ位置Ｄに到達する時刻は図８の（ｉ）に示すように時刻Ｔ２である。この間、装置は再生状態となる。
【００５６】
時刻Ｔ１から時刻Ｔ２までの間では図８の（ｃ）に示すように、再生信号１０８がリングメモリ２０３に書き込まれるアドレスＰは４倍の速度で、また読み出しアドレスＱ、記録時の書き込みアドレスＲは１倍の速度でリング上をまわり、書き込みアドレスＰが読み出しアドレスＳに追いついた時刻Ｔ２で再生動作を終了する。具体的には、制御回路１０２はアドレスＰとアドレスＳの差が所定値以下になった事を検出して、テープ駆動回路１５、再生処理回路１３、リングメモリ２０３へそれぞれ制御信号１０７，１０６，１０５を送り、再生動作を中断させる。リングメモリ２０３からの読み出された信号１８は、混合回路１６にて別の音声信号１１０が混合されて信号２０となる。図８に示すように、本実施の形態ではこの間の処理にＴ１を要するものとする。このため、ブロックＣの再生データに信号１１０を混合して得られたデータｃ１は、図８の（ｇ）に示すように時刻Ｔ１から混合回路１６より信号２０として出力される。信号２０は、リングメモリ２０３に順次記憶される。このため、記録時の書き込みアドレスＲは再生側の読み出しアドレスＱとＴ１だけのアドレス差をもって時刻Ｔ１から順次増加していく。
【００５７】
時刻Ｔ２から時刻Ｔ３の間、制御回路１０２は、制御信号１０７によりテープ駆動回路１５へ巻き戻し指令を送り、テープ走行を「ＲＥＷ」状態とする。ここで、図８の（ｂ）において、時刻Ｔ２と「ＲＥＷ」状態の開始時刻は一致してないが、これは制御回路１０２がテープ位置Ｄに到達したことを検出して、巻き戻し命令を指示し、巻き戻しが始まるまで４倍速再生を行っているためである。制御回路１０２は再生処理回路１３の出力信号１０８から、テープ位置Ｃを検出すると、制御信号１０７によりテープ駆動回路１５にテープ走行を停止させる。この間は磁気テープ２への記録も再生も行われない。しかし、この間もリングメモリ２０３からは信号１８が第１のデータレート（例えば１５Ｍｂｐｓ）で連続して読み出され、途切れることはない。また、信号２０は、連続してリングメモリ２０３へ記憶される。
【００５８】
制御回路１０２は、「ＲＥＷ」状態から「停止」状態の後、ただちに時刻Ｔ３においてテープ駆動回路１５、記録処理回路１１、リングメモリ２０３を制御信号１０７，１０４，２０５で制御し、図８の（ｂ）に示すようにテープ走行を第２のデータレート（例えば、４倍速記録の場合６０Ｍｂｐｓ）状態とし、時刻Ｔ４にテープ位置Ｄに到達し、記録するデータがなくなるまでこの状態で走行させる。この間、装置は磁気テープ２への記録状態となり、リングメモリ２０３から第２のデータレートでデータの読出しが記憶したときの順序で行われ、図８の（ｈ）に示されるように、信号１０９としてブロックＣが記録してあったテープ位置に新たに記録するデータｃ１が現れる。この信号１０９は、記録処理回路１１を経て、ブロックＣが記録してあった先頭から終端にかけて新たに記録される。なお、この例では１５Ｍｂｐｓの４倍の６０Ｍｂｐｓで記録されるため、１５Ｍｂｐｓの映像及び音声データを含むデータｃ１の記録が１／４の時間で終了する。
【００５９】
時刻Ｔ３から時刻Ｔ４までの間では図８の（ｃ）に示すように、磁気テープ２に記録する信号が読み出されるアドレスＳは４倍の速度で、また読み出しアドレスＱ、記録時の書き込みアドレスＲは１倍の速度でリング上をまわり、アドレスＳが編集データの書き込みアドレスＲに追いついた時刻Ｔ４で記録動作を終了する。時刻Ｔ４において、制御回路１０２はテープ速度を４倍速に上げるよう制御し、再生処理回路１３が出力する信号１０８で前回メモリに書き込んだ再生データの次のデータを検出すると、再生タイミングＴ４からテープは再び「４倍速再生」状態となり、時刻Ｔ５において図８の（ａ）に示すようにテープ位置Ｅに到達する。この間、図８の（ｅ）に示すように信号１０８にブロックＤの信号ｄが６０Ｍｂｐｓで現れると共に、リングメモリ２０３に順次記憶される。なお、この間もリングメモリ２０３からの読出しは連続的に行われ、信号１８には途切れることなくブロックＤの信号ｄが現れる。また信号２０には、図８の（ｇ）に示すように時刻Ｔ４からブロックＤの信号に信号１１０を混合して得られたデータｄ１が１５Ｍｂｐｓで連続して現れ、リングメモリ２０３に順次記憶されていく。以降、同様にして、時刻Ｔ１からＴ４の周期で再生、巻き戻し、記録の処理が繰り返される。なお、上記の動作を行うために、リングメモリ２０３，再生処理回路１３，記録処理回路１１は、制御回路１０２からの制御信号２０５，１０６、１０４に従って動作を行う。更に、テープ駆動回路１５は制御回路１０２からの制御信号１０７に従い磁気テープの走行を制御する。
【００６０】
次に、本発明の実施の形態２において、図８（ｂ）における「４倍速再生」状態から「ＲＥＷ」状態への移行の方法とＲＥＷの後の「停止」状態から「４倍速記録」状態への移行の方法について図９を参照してさらに具体的に説明する。
【００６１】
図９は本発明の実施の形態２におけるテープの動きとメモリアドレスとの関係を示すグラフである。図９において、Ｔａ期間は「４倍速再生」状態、Ｔｂ期間は「ＲＥＷ」状態及び「停止」状態、Ｔｃ期間は「４倍速記録」状態、Ｔｄ期間は「４倍速空走」状態を示し、Ｔｄ期間以降は「４倍速再生」状態で、移行は同じ動作が繰り返される。メモリアドレス（累積値）は図７のリングメモリ２０３のアドレスを表し、アドレスＰは４倍速の再生データ１０８の書き込みアドレス、アドレスＱは通常速度の再生データ１８の読み出しアドレス、アドレスＳは４倍速の編集データ１０９の読み出しアドレス、アドレスＲは通常速度の編集データ２０の書き込みアドレスを示す。なお、アドレスＱとアドレスＲとは図８におけるＴ１時間分だけ差があるが、ここでは微少な時間として無視する。また、図９の通常再生仮想位置はリングメモリ２０３から通常速度で読み出されたデータのテープ上の位置を表す。また、Ｔ２，Ｔ３，Ｔ３ａ，Ｔ３ｂ，Ｔ４，Ｔ４ａは動作を開始する時点を０とした場合の時刻を示している。
以下、リングメモリ２０３が４Ｔａ時間分の容量があることを例に各アドレスの動きについて説明する。「４倍速再生」状態においてリングメモリ２０３には通常速度に対して４倍速で再生された再生データが書き込まれ、リングメモリ２０３からは通常速度で再生データが読み出される。またこのとき、リングメモリ２０３には通常速度で編集データが書き込まれている。「４倍速再生」状態の期間でアドレスＰはＴａ時間で４Ｔａ時間分のリングメモリ２０３のリング上を一周し初期の位置に戻る。このとき、リングメモリ２０３のアドレスＱは、通常速度で再生データが読み出されているので、アドレスＰとアドレスＱとの差は図９に示すように３Ｔａ時間分となる。アドレスＰがリングメモリ２０３のリング上を一周し初期の位置に戻ったことを制御信号２０５により制御回路１０２に知らせ、制御回路１０２は、制御信号２０５及び１０７によりリングメモリ２０３への４倍速の再生データの書き込みを禁止し、テープ駆動回路１５へ「ＲＥＷ」状態への移行指令を出す。次に、制御回路１０２は、「ＲＥＷ」状態で再生信号１０８からＴＣの検出を行うなどにより、４Ｔａ時間分テープを巻き戻した時点で制御信号１０７によりテープ駆動回路１５に「停止」指令を出す。その後すぐに制御回路１０２はテープ駆動回路１５へ「４倍速記録」指令を出し、「４倍速記録」状態へ移行する。「４倍速記録」状態はリングメモリ２０３から４倍速で編集データを読み出し、アドレスＳがアドレスＲに追いつくまで続く。この期間Ｔｃは、「ＲＥＷ」状態の期間と「停止」状態の期間を合わせてＴｂ期間とすると、実施の形態１と同様に、Ｔｃ＝（Ｔａ＋Ｔｂ）／３で表すことができる。アドレスＳがアドレスＲに追いついたことを制御信号２０５により制御回路１０２に知らせ、制御回路１０２は制御信号２０５及び１０４によりリングメモリ２０３から４倍速での編集データの読み出しを禁止する指令を出し、記録処理回路１１の記録動作を禁止する。実施の形態１と同様、通常速度の再生データの読み出しに「４倍速記録」が追いつく場合は、テープ駆動回路１５によるテープの４倍速動作は継続させ、「４倍速再生」が終了した時点まで「４倍速空走」状態をＴｄ期間続ける。この期間Ｔｄは、Ｔｄ＝（２Ｔａ−Ｔｂ）／３で表すことができ、この「４倍速空走」状態の期間はリングメモリ２０３上のアドレスＰとアドレスＱとの差の余裕に関係し、この場合、２Ｔａ−Ｔｂ時間分だけアドレスＰとアドレスＱとの差に余裕があることを示している。これは、通常速度で再生データを出力するためのメモリ残量であり、Ｔｄ時間範囲内で、「ＲＥＷ」期間のばらつきと「４倍速記録」への移行タイミングのばらつきを吸収することができる。すなわち、「ＲＥＷ」状態の制御と「４倍速記録」への移行タイミングの設計の自由度を高めることができる。なお、時刻Ｔ３ｂ以降にリングメモリ２０３へ書き込まれた編集データは次回の「４倍速記録」時に書き込まれる。この場合は、磁気テープ２を前回未記録の先頭位置まで巻き戻して行う。
【００６２】
以上に述べた動作の結果、ブロックＣからブロックＥに既に記録された映像及び音声信号に、別の音声信号を混合して再び元の場所に記録することができる。
【００６３】
このように、本実施の形態では、映像及び音声のデータレートよりも高速なデータレートで磁気テープへの記録と磁気テープからの再生を間欠的に交互に行い、先行再生ヘッドを設けることなく、磁気テープ上に既に記録された信号と別の信号とを混合して再び元の場所に記録する機能を備えた放送用デジタルＶＴＲが実現できる。そして、記録用および再生用のメモリをリングメモリ構成とすることで、第１の実施形態に比べ、約半分のメモリ量で実現することができる。
【００６４】
なお、リングメモリ２０３の記憶容量は、半導体メモリで容易に構成できるが、より高いデータレートの信号を扱う場合には必要な記憶容量が大きくなり、高価になることが考えられる。この場合には、磁気ディスクなど他の記憶媒体を用いてもよい。これにより、安価に大容量のメモリが構成できる。
【００６５】
また、本実施の形態では映像及び音声信号を元のデータレートの４倍（Ｎ２＝４）で間欠的に再生及び４倍（Ｎ１＝４）で記録する構成としたが、本発明はこれに限られるものではなく、元のデータレートに対して実質的に平均２倍を越えるレートであればよい。また、元のデータレートを１５Ｍｂｐｓとしたが、これに限定するものではない。
【００６６】
また、本発明では既に記録された信号と別の信号とを混合して再び元の場所に記録するものとしたが、本発明はこれに限られるものではなく、既に記録された信号を加工して再び元の場所に記録するまたはトラックの一部のみを書き換える（例えば、音声領域だけを部分的に書き換える）インサート記録としてもかまわない。
【００６７】
また、本発明では再生データの書き込み量の所定量を４Ｔａ時間分の容量、メモリから読み出した編集データの残量の所定量を０としたが、これに限定するものではない。
【００６８】
また、本発明では、放送用Ｄ−ＶＴＲにおける一例を示したが、本発明はデジタルＶＴＲに限定するものではない。例えば、第１のメモリ、第２のメモリが光ディスクやハードデスク等で構成されている場合にも適応されることはいうまでもない。
【００６９】
【発明の効果】
以上の説明から明らかなように本発明によれば、先行再生ヘッドを設けることなく、既に記録された信号と別の信号との混合して再び元の場所に記録したり、既に記録された信号を加工して再び元の場所に記録するプリリード編集機能を備えた情報編集装置を提供できる。
【００７０】
また、本発明のプリリード編集方式においては、高速先読みしたデータがメモリに書き込まれ所定量以上になった時点で高速先読みから巻き戻しへの移行を行い、巻き戻した後、高速アフレコを行いアフレコデータがメモリから読み出され所定量以下になった時点で高速アフレコを終了し、空走して再び高速先読みを行う一連の動作を繰り返される。この空走期間によって、巻き戻し時間のばらつきや高速アフレコへの移行タイミングのばらつきを吸収することができ、設計自由度が増す効果がある。
【００７１】
さらにまた、再生用メモリの記憶データ量を記録用メモリの記憶データ量より大きくすることによって、アフタロールのために特別に高速先読み動作をさせる必要がなく、処理を簡素化することができる。
【図面の簡単な説明】
【図１】本発明の実施の形態１の情報編集装置の構成を示すブロック図
【図２】本発明の実施の形態１における回転シリンダ上のヘッド配置図
【図３】本発明の実施の形態１における磁気テープ上の記録トラックパターンとヘッドの位置関係を示す図
【図４】磁気テープ上の記録状態を示す図
【図５】本発明の実施の形態１の動作を説明するタイミングチャート
【図６】本発明の実施の形態１におけるテープの動きとメモリ残量との関係を示すグラフ
【図７】本発明の実施の形態２の情報編集装置の構成を示すブロック図
【図８】本発明の実施の形態２の動作を説明するタイミングチャート
【図９】本発明の実施の形態２におけるテープの動きとメモリアドレスとの関係を示すグラフ
【図１０】従来の情報編集装置の回転シリンダ上のヘッド配置を示す図
【図１１】従来の情報編集装置における磁気テープ上の記録トラックとヘッドの位置関係を示す図
【図１２】従来の情報編集装置の構成を示すブロック図
【図１３】従来の情報編集装置の動作を説明するタイミングチャート
【符号の説明】
１  回転シリンダ
２  磁気テープ
３，４  記録ヘッド
５，６  再生ヘッド
１０、１２  ヘッドスイッチ
１１  記録処理回路
１３  再生処理回路
１５  テープ駆動回路
１６  混合回路
１００  記録用メモリ
１０１  再生用メモリ
１０２  制御回路
２０３  リングメモリ
【図１】
0003890872.tif 000002
【図２】
0003890872.tif 000003
【図３】
0003890872.tif 000004
【図４】
0003890872.tif 000005
【図５】
0003890872.tif 000006
【図６】
0003890872.tif 000007
【図７】
0003890872.tif 000008
【図８】
0003890872.tif 000009
【図９】
0003890872.tif 000010
【図１０】
0003890872.tif 000011
【図１１】
0003890872.tif 000012
【図１２】
0003890872.tif 000013
【図１３】
0003890872.tif 000014